【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
スライダとガイド溝が設けられる本体と、
前記スライダと係合するスライダ係合部と、前記ガイド溝にスライド自在に係合するガイド溝係合部が設けられる表示パネル、を備え、
前記スライダ係合部と前記ガイド溝係合部が、それぞれ前記スライダ溝と前記ガイド溝とに案内されて、前記表示パネルが前記本体に対して傾倒可能なディスプレイ装置において、
前記ガイド溝係合部を弾性部材の弾力により押圧する押圧手段を備え、
前記ガイド溝は、前記スライダの移動方向に略平行に形成された平行溝と、前記平行溝と連結する前記平行溝より幅が狭い湾曲溝とから構成され、
前記ガイド溝係合部は、前記スライダの移動及び前記押圧手段の押圧力により、前記平行溝内を移動可能であることを特徴とするディスプレイ装置。
【請求項２】
前記本体に形成される係合部材と、
前記スライダに形成され、前記係合部材が係合するスライダ孔を備え、
前記スライダ孔は、前記スライダの移動方向と同方向に長い長孔で、前記係合部材の幅より広い幅を有することを特徴とする請求項１に記載のディスプレイ装置。
【請求項３】
前記スライダ及び前記本体の一方に形成される連結軸と、
前記スライダ及び前記本体の他方に形成され、前記連結軸と連結される係合孔を備え、
前記係合孔は、前記スライダの移動方向と同方向に長い長孔で、前記係合部材の幅よりも広い幅を有することを特徴とする請求項１又は２に記載のディスプレイ装置。
【請求項４】
前記スライダに連結され、当該スライダの先端部を回動中心とする前記本体に設けられた傾倒レバーと、
前記スライダの移動方向に弾力を付与する前記本体に設けられた傾倒レバー弾性部材とを備え、
前記傾倒レバーと前記スライダの先端部の当接位置により、前記係合部が前記平行溝に案内される時の前記表示パネルの角度が設定されることを特徴とする請求項１又は２に記載のディスプレイ装置。
【請求項５】
前記傾倒レバーを支持する支持部材を備え、
前記表示パネルの傾倒角度は、前記支持部材の位置および前記傾倒レバー弾性部材の弾力により設定されることを特徴とする請求項４に記載のディスプレイ装置。
【請求項６】
前記表示パネルに設けられた表示パネル位置決め部と、
前記表示パネル位置決め部と係合可能な前記本体に設けられた本体位置決め部とを備え、
前記表示パネルは、前記スライダに連結され、前記スライダの移動方向に対して垂直な方向に移動自在であり、
前記表示パネル位置決め部と前記本体位置決め部により、前記本体に対して前記表示パネルを、前記スライダの移動方向に対して垂直な方向に位置決めすることを特徴とする請求項１，２または５に記載のディスプレイ装置。
【請求項７】
前記表示パネルに設けられた表示パネル位置決め部と、
前記表示パネル位置決め部と係合可能な前記本体に設けられた本体位置決め部と、
前記スライダを前記スライダの移動方向に案内するとともに、前記スライダとの間に、前記スライダの移動方向に対して垂直な方向に隙間を有する前記本体に設けられたガイド部とを備え、
前記表示パネル位置決め部と前記本体位置決め部により、前記本体に対して前記表示パネルを、前記スライダの移動方向に対して垂直な方向に位置決めすることを特徴とする請求項１，２または５に記載のディスプレイ装置。
【請求項８】
前記表示パネル又は前記本体に設けられた位置決め部を備え、
前記表示パネルは、前記スライダに連結され、前記スライダの移動方向に対して垂直な方向に移動自在であり、
前記位置決め部により、前記本体に対して前記表示パネルを、前記スライダの移動方向に対して垂直な方向に位置決めすることを特徴とする請求項１，２または５に記載のディスプレイ装置。
【請求項９】
前記表示パネル又は前記本体に設けられた位置決め部と、
前記スライダを前記スライダの移動方向に案内するとともに、前記スライダとの間に、前記スライダの移動方向に対して垂直な方向に隙間を有する前記本体に設けられたガイド部と備え、前記位置決め部により、前記本体に対して前記表示パネルを、前記スライダの移動方向に対して垂直な方向に位置決めすることを特徴とする請求項１，２または５に記載のディスプレイ装置。
【手続補正２】
【補正対象書類名】明細書
【補正対象項目名】全文
【補正方法】変更
【補正の内容】
【発明の詳細な説明】
【発明の名称】ディスプレイ装置
【技術分野】
【０００１】
この発明は、車載用として据置されるディスプレイ装置に関し、特に、ディスプレイの位置決めにより美観を備えることのできるディスプレイ装置に関するものである。
【背景技術】
【０００２】
自動車等の車両においては、車内のダッシュボードやインストルメントパネル等の取付部材にＣＤ，ＭＤ，ＤＶＤ等の記録媒体を再生する種々の電子装置が搭載されるようになり、これらの電子装置においては液晶パネル等の表示パネルを備えた車載用ディスプレイ装置が使用されている（例えば、特許文献１参照。）。車載用ディスプレイ装置は、例えば、記録媒体の出し入れのために表示パネルの下部を本体から引き出すことによって手前側へ傾倒可能なように組み立てられ、ダッシュボードやインストルメントパネル等、車内の取付部材における適宜位置に組み付けて使用される。
【０００３】
【特許文献１】特開平５−４２８５３号公報
【発明の開示】
【発明が解決しようとする課題】
【０００４】
ところで、車載用ディスプレイ装置は、種々の連結手段を用いて表示パネルを本体に傾倒可能に取り付ける。このため、表示パネルや本体の公差、更にはインストルメントパネル等、車内の取付部材における公差や、組付け時の許容範囲を考慮すると、車載用ディスプレイ装置は、表示パネルとインストルメントパネル等の取付部材との幅方向や上下方向における隙間を大きく採って組み付ける必要がある。しかし、前記隙間が大き過ぎると、車載用ディスプレイ装置は、見映えが悪く、車両内装の美観を損ねてしまうという問題があった。
【０００５】
この発明は、上述した従来技術による問題点を解消するため、表示パネルと構成部材とを適正な位置に位置決めでき、これにより組み付け時に表示パネルとインストルメントパネル等の取付部材との隙間を一層小さくすることが可能な車載用ディスプレイ装置を提供することを目的とする。
【課題を解決するための手段】
【０００６】
上述した課題を解決し、目的を達成するため、請求項１の発明に係る車載用ディスプレイ装置は、スライダとガイド溝が設けられる本体と、前記スライダと係合するスライダ係合部と、前記ガイド溝にスライド自在に係合するガイド溝係合部が設けられる表示パネル、を備え、前記スライダ係合部と前記ガイド溝係合部が、それぞれ前記スライダ溝と前記ガイド溝とに案内されて、前記表示パネルが前記本体に対して傾倒可能なディスプレイ装置において、前記ガイド溝係合部を弾性部材の弾力により押圧する押圧手段を備え、前記ガイド溝は、前記スライダの移動方向に略平行に形成された平行溝と、前記平行溝と連結する前記平行溝より幅が狭い湾曲溝とから構成され、前記ガイド溝係合部は、前記スライダの移動及び前記押圧手段の押圧力により、前記平行溝内を移動可能であることを特徴とする。
【０００７】
請求項１の発明によれば、表示パネルのガイド溝係合部を弾性部材の弾力により押圧し、ガイド溝係合部がスライダの移動及び押圧手段の押圧力によって平行溝内を移動するようにしている。
【０００８】
また、上述した課題を解決し、目的を達成するため、請求項２の発明に係る車載用ディスプレイ装置は、請求項１に記載の発明において、前記本体に形成される係合部材と、前記スライダに形成され、前記係合部材が係合するスライダ孔を備え、前記スライダ孔は、前記スライダの移動方向と同方向に長い長孔で、前記係合部材の幅より広い幅を有することを特徴とする。
【０００９】
請求項２の発明によれば、スライダの移動方向と同方向に長く、係合部材の幅より広いスライダ孔を形成し、スライダ孔に係合部材が係合するようにしている。
【００１０】
また、上述した課題を解決し、目的を達成するため、請求項３の発明に係るディスプレイ装置は、請求項１又は２に記載の発明において、前記スライダ及び前記本体の一方に形成される連結軸と、前記スライダ及び前記本体の他方に形成され、前記連結軸と連結される係合孔を備え、前記係合孔は、前記スライダの移動方向と同方向に長い長孔で、前記係合部材の幅よりも広い幅を有することを特徴とする。
【００１１】
請求項３の発明によれば、スライダおよび本体の一方に連結軸を、他方にスライダの移動方向と同方向に長い長孔で、係合部材の幅よりも広い係合孔を設け、係合孔に連結軸を連結するようにしている。
【００１２】
また、上述した課題を解決し、目的を達成するため、請求項４の発明に係るディスプレイ装置は、請求項１または２に記載の発明において、前記スライダに連結され、当該スライダの先端部を回動中心とする前記本体に設けられた傾倒レバーと、前記スライダの移動方向に弾力を付与する前記本体に設けられた傾倒レバー弾性部材とを備え、前記傾倒レバーと前記スライダの先端部の当接位置により、前記係合部が前記平行溝に案内される時の前記表示パネルの角度が設定されることを特徴とする。
【００１３】
請求項４の発明によれば、本体に設けた傾倒レバーとスライダの先端部の当接位置により、係合部が平行溝に案内される時の表示パネルの角度を設定するようにしている。
【００１４】
また、上述した課題を解決し、目的を達成するため、請求項５の発明に係るディスプレイ装置は、請求項４に記載の発明において、前記傾倒レバーを支持する支持部材を備え、前記表示パネルの傾倒角度は、前記支持部材の位置および前記傾倒レバー弾性部材の弾力により設定されることを特徴とする。
【００１５】
請求項５の発明によれば、本体に設けた傾倒レバーを支持する支持部材の位置と、傾倒レバー弾性部材の弾力によって係合部が平行溝に案内される時の表示パネルの角度を設定するようにしている。
【００１６】
また、上述した課題を解決し、目的を達成するため、請求項６の発明に係るディスプレイ装置は、請求項１，２または５に記載の発明において、前記表示パネルに設けられた表示パネル位置決め部と、前記表示パネル位置決め部と係合可能な前記本体に設けられた本体位置決め部とを備え、前記表示パネルは、前記スライダに連結され、前記スライダの移動方向に対して垂直な方向に移動自在であり、前記表示パネル位置決め部と前記本体位置決め部により、前記本体に対して前記表示パネルを、前記スライダの移動方向に対して垂直な方向に位置決めすることを特徴とする。
【００１７】
請求項６の発明によれば、表示パネルをスライダの移動方向に対して垂直な方向に移動自在とし、表示パネル側の位置決め部と本体側の位置決め部との係合によって表示パネルの位置決めを行なうようにしている。
【００１８】
また、上述した課題を解決し、目的を達成するため、請求項７の発明に係るディスプレイ装置は、請求項１，２または５に記載の発明において、前記表示パネルに設けられた表示パネル位置決め部と、前記表示パネル位置決め部と係合可能な前記本体に設けられた本体位置決め部と、前記スライダを前記スライダの移動方向に案内するとともに、前記スライダとの間に、前記スライダの移動方向に対して垂直な方向に隙間を有する前記本体に設けられたガイド部とを備え、前記表示パネル位置決め部と前記本体位置決め部により、前記本体に対して前記表示パネルを、前記スライダの移動方向に対して垂直な方向に位置決めすることを特徴とする。
【００１９】
請求項７の発明によれば、スライダをスライダの移動方向に案内するとともに、スライダとの間にスライダの移動方向に対して垂直な方向に隙間を有するガイド部を本体に設け、表示パネル側の位置決め部と本体側の位置決め部との係合によって表示パネルをスライダの移動方向に対して垂直方向に位置決めを行なうようにしている。
【００２０】
また、上述した課題を解決し、目的を達成するため、請求項８の発明に係るディスプレイ装置は、請求項１，２または５に記載の発明において、前記表示パネル又は前記本体に設けられた位置決め部を備え、前記表示パネルは、前記スライダに連結され、前記スライダの移動方向に対して垂直な方向に移動自在であり、前記位置決め部により、前記本体に対して前記表示パネルを、前記スライダの移動方向に対して垂直な方向に位置決めすることを特徴とする。
【００２１】
請求項８の発明によれば、表示パネルをスライダに連結して、スライダの移動方向に対して垂直な方向に移動自在に構成し、表示パネルもしくは本体に設けた位置決め部によって垂直方向の位置決めを行なうようにしている。
【００２２】
また、上述した課題を解決し、目的を達成するため、請求項９の発明に係るディスプレイ装置は、請求項１，２または５に記載の発明において、前記表示パネル又は前記本体に設けられた位置決め部と、前記スライダを前記スライダの移動方向に案内するとともに、前記スライダとの間に、前記スライダの移動方向に対して垂直な方向に隙間を有する前記本体に設けられたガイド部と備え、前記位置決め部により、前記本体に対して前記表示パネルを、前記スライダの移動方向に対して垂直な方向に位置決めすることを特徴とする。
【００２３】
請求項９の発明によれば、スライダをスライダの移動方向に案内するとともに、スライダとの間にスライダの移動方向に対して垂直な方向に隙間を有するガイド部を本体に設け、表示パネルもしくは本体に設けた位置決め部によって表示パネルのスライダの移動方向に対して垂直方向の位置決めを行なうようにしている。
【発明の効果】
【００２４】
本発明によれば、上下方向ならびに横方向の位置が精度良く位置決めされるうえ、スライダの移動方向に平行に形成された平行溝を幅広に形成しているため、これにより公差（寸法）のばらつきを平行溝の幅で吸収して補正することができ、表示パネルの傾倒及び収納動作を良好に行なうことができるという効果を奏する。
【００２５】
また、表示パネルを僅かに傾倒させて収納時の移動をおこなうことにより、この表示パネルの収納時に発生する段差を最小とすることから、隙間を最小にして表示パネルを組み付けることができ、外観上の見映えをより向上できる車載用ディスプレイ装置を提供することができるという効果を奏する。
【００２６】
また、位置決め部を備えた場合には、表示パネルと構成部材とを適正な位置に位置決めでき、これにより組み付け時に表示パネルとインストルメントパネル等の取り付け部材との隙間を一層小さくすることが可能なディスプレイ装置を提供することができるという効果を奏する。
【発明を実施するための最良の形態】
【００２７】
以下、図面を参照して、この発明に係る車載用ディスプレイ装置の好適な実施例について説明する。
【実施例１】
【００２８】
先ず、この発明の車載用ディスプレイ装置（以下、「ディスプレイ装置」という）に係る実施例１について説明する。図１は、この発明の実施例１であるディスプレイ装置１の斜視図である。図２は、図１のディスプレイ装置１から表示パネルを外した斜視図である。図３は、図１のディスプレイ装置１において表示パネルを傾倒させた状態の斜視図である。ディスプレイ装置１は、本体２と表示パネル５とを備えている。
【００２９】
本体２は、内部にＣＤ，ＭＤ，ＤＶＤ等の記録媒体を再生するための種々の電子装置を用いたユニットが配置されるケーシングで、図１〜図３に示すように、前部に収納部となる枠状の前面パネル３が取り付けられると共に、底板２ａ上にスライダ４が水平方向に引き出し自在に設けられている。
【００３０】
前面パネル３は、合成樹脂から枠状に成形され、図２〜図４に示すように、両側にガイド溝３ａが形成されている。ガイド溝３ａは、図４に示すように、上下方向に形成された縦溝Ｔvの上端に、表示パネル出し入れ時における上下方向の位置を位置決めする横溝Ｔhが湾曲溝Ｔcを介して連設されている。このとき、溝Ｔvは、本体２から表示パネル５が円滑に引き出すためのガイド溝であるから前後方向に緩やかに湾曲させる。これに対し、横溝Ｔhは、表示パネル５を上下方向に位置決めして水平方向に引き出すためのガイド溝であるから、水平方向に表示パネル５の前後における厚み対応した長さに形成する。
【００３１】
スライダ４は、図２に示すように、本体２の底板２ａ両側に設けたガイドレール２ｂ（一方のみ図示）に水平方向へ引き出し自在に支持されている。スライダ４は、平面視Ｕ字状に成形された板材の一方の内側にラック４ａが設けられ、ラック４ａに隣接する位置にはローラ孔４ｂが形成されている。ラック４ａは、底板２ａに設けたギアトレーンＧを介してモータ６と噛合されている。そして、ローラ孔４ｂには、底板２ａに設けた２つのガイドローラ２ｃが配置され、モータ６の駆動によるスライダ４の本体２から水平方向への引き出しや引き戻しの動作を案内している。また、スライダ４は、幅方向両側に前方へ延出するアーム４ｃが設けられ、下面の適宜個所には、図４に示すように、上方へ付勢する板ばね４ｄが取り付けられている。
【００３２】
表示パネル５は、液晶パネル等からなる可動パネルで、図１に示すように、起立状態で前面パネル３に収納される。表示パネル５は、図３に示すように、正面に画面５ａが配置され、両側上部にベアリング５ｂ（一方のみ図示）が設けられている。表示パネル５は、下部側面に設けた連結軸である連結ピン（図示せず）をスライダ４の各アーム４ｃに形成した連結孔４ｅに挿通することで、下部両側がスライダ４の各アーム４ｃとピン連結され、上部両側のベアリング５ｂを前面パネル３のガイド溝３ａにスライド自在に係合させて本体２に支持される。このとき、表示パネル５は、上部両側のベアリング５ｂを前面パネル３のガイド溝３ａに係合させることで、前面パネル３への収納時に本体２に対する幅方向の位置が位置決めされる。
【００３３】
ディスプレイ装置１は、本体２の内部にＣＤ，ＭＤ，ＤＶＤ等の記録媒体を再生するための種々の電子装置を用いたユニットを配置して組み立てられ、自動車等の車両において、ダッシュボードやインストルメントパネル等の取付部材における所定部分に組み付けられる。この組み付けに際し、ディスプレイ装置１は、前面パネル３をインストルメントパネル等の取付部材で隠すようにして取付部材に組み付けられる。このようにして取付部材に組み付けられたディスプレイ装置１は、通常は、表示パネル５を起立状態にして前面パネル３に収納され、画面５ａに所望の画像を表示する。
【００３４】
そして、車内でオーディオ等を楽しむために、ＣＤ等の記録媒体を本体２から出し入れするときは、表示パネル５に設けた所定の操作ボタンを押すと、モータ６が駆動される。これにより、スライダ４がガイドレール２ｂ及びガイドローラ２ｃに案内されて本体２から水平に引き出される。この結果、図４に示すように、先ず、ベアリング５ｂが横溝Ｔh内を移動する間は、表示パネル５が、前面パネル３から水平に引き出される。そして、表示パネル５が、前面パネル３から厚さの半分程度水平に引き出され、ベアリング５ｂが、湾曲溝Ｔcを経て縦溝Ｔvに移動すると、表示パネル５が、図４に一点鎖線で示すように傾倒を開始する。そして、表示パネル５が、図３に示す略半分傾倒された状態を経て水平まで倒伏されたら、記録媒体を本体２に出し入れする。記録媒体の出し入れが完了したら、操作ボタンを押す。すると、モータ６が逆転し、前記と逆の作動によって、表示パネル５が起立して前面パネル３に収納される。
【００３５】
ディスプレイ装置１は、車内の取付部材に組み付けて、以上のように使用される。このとき、ディスプレイ装置１は、表示パネル５の収納部となる前面パネル３の両側に、上下方向に形成された縦溝Ｔvの上端に、表示パネル出し入れ時における上下方向の位置を位置決めする横溝Ｔhを湾曲溝Ｔcを介して連設したガイド溝３ａが形成されている。このため、ディスプレイ装置１は、表示パネル５を本体２の前面パネル３から引き出したり、本体２の前面パネル３に収納したりするときに、図４に示すように、表示パネル５が横溝Ｔhに案内されて前面パネル３に対して水平に出し入れされる。このため、前面パネル３をインストルメントパネル等の取付部材で隠すようにして組み付けても、ディスプレイ装置１は、表示パネル５が取付部材と干渉することがないので、取付部材との隙間を最小にして組み付けることができる。
【００３６】
これに対して、ガイド溝３ａが縦溝Ｔvのみからなる従来構造のディスプレイ装置は、表示パネル５を本体２の前面パネル３から出し入れするときに、図５に示すように、表示パネル５の前部上縁が矢印Ａで示す分だけ上方に突出する。このため、従来構造のディスプレイ装置は、前面パネル３をインストルメントパネル等の取付部材で隠すようにして組み付けると、表示パネル５が取付部材と干渉し易くなるので、取付部材との隙間を小さくして組み付けることができない。
【００３７】
また、ディスプレイ装置１は、ガイド溝３ａを上述のように形成する他、図６に示すように、前面パネル３の下部上面に表示パネル５の引き出し方向に向かって前方が低くなる段部３ｂを形成すると共に、表示パネル５の下面には、段部３ｂと係合し、表示パネル５が斜め下方へ引き出されるように案内する角度θ傾斜した傾斜面５ｃを形成しておく。このようにすると、ディスプレイ装置１は、横溝Ｔhの長さに対応した所定距離だけ水平に引き出された後は、段部３ｂと傾斜面５ｃとによって、表示パネル５が斜め下方へ引き出され、表示パネル５とインストルメントパネル等の取付部材との干渉を避けることができ、取付部材との隙間を小さくして組み付けることができるようになる。
【００３８】
以上のように、ディスプレイ装置１は、ガイド溝３ａを縦溝Ｔvの上端に湾曲溝Ｔcを介して横溝Ｔhを連設した構成としたので、表示パネル５がインストルメントパネル等の取付部材と干渉することがなく、隙間を最小にして取付部材に組み付けることができ、見映えが良いうえ、車両内装の美観も向上する。
【００３９】
ここで、は、図７に示すように、スライダ４のアーム４ｃにブラケット４ｆを設け、ブラケット４ｆと表示パネル５との間に押しばね７を設ける。押しばね７は、ガイド溝３ａの湾曲溝Ｔcの湾曲中心Ｃを通る線Ｌを境としてベアリング５ｂが縦溝Ｔv側に位置するときに、表示パネル５に押圧力を作用させ、表示パネル５の出し入れを補助することができる。このとき、押しばね７は、図示したコイルスプリングの他、板ばねであってもよく、表示パネル５に押圧力を作用させることができれば、ゴムやスポンジ等の弾性体であってもよい。
【００４０】
また、ディスプレイ装置１は、図７に示すように、アーム４ｃに形成する連結孔４ｅを上下方向に延びる長孔に成形しておくと、ベアリング５ｂがガイド溝３ａに案内されて移動し、表示パネル５が傾倒あるは起立されるとき、ベアリング５ｂとピン連結される連結孔４ｅとの間隔に余裕ができ、表示パネル５を上下させることで円滑に動作させることができる。
【００４１】
更に、前面パネル３と表示パネル５は、一方に凸部を、他方に凹部を設けることによって前面パネル３に対する表示パネル５の上下方向における位置決め精度を高めてもよく、例えば、図７に示すように、前面パネル３にスリット３ｃを、表示パネル５にリブ５ｄを設ける。この場合、凸部や凹部となる、スリット３ｃ及びリブ５ｄは、表示パネル５が前面パネル３に対して水平に移動し、かつ、表示パネル５の傾倒或いは起立動作に支障のない位置、即ち、前面パネル３及び表示パネル５の前面側に設ける。
【実施例２】
【００４２】
次に、この発明のディスプレイ装置に係る実施例２について説明する。実施例１のディスプレイ装置１は、本体２の前部に収納部となる枠状の前面パネル３を有していたが、実施例２のディスプレイ装置１０は前面パネルを有しておらず、表示パネル５のベアリング５ｂが係合するガイド溝は、本体２の両側に形成されている。ここで、以下に説明する各実施例のディスプレイ装置においては、実施例１のディスプレイ装置１と同一の構成部材には同一の符号を付している。
【００４３】
図８は、この発明の実施例２であるディスプレイ装置１０の主要部を示す断面平面図である。図９は、図８のディスプレイ装置１０の正面図である。図１０は、図８のディスプレイ装置１０の縦断面図である。ディスプレイ装置１０は、本体２と表示パネル５とを備え、予めダッシュボードやインストルメントパネル等の車両の取付部材に取り付けられたクラスタ１２と呼ばれる取付開口１２ａを有する枠体状の部品を介してインストルメントパネル１４に組み付けられる。表示パネル５は、図８及び図９に示すように、下面にガイド溝５ｅが形成され、クラスタ１２は、ガイド溝５ｅと対応する位置に、ガイド溝５ｅに係合する位置決めリブ１２ｂが設けられている。これらによって、表示パネル５は、クラスタ１２に対して横方向における位置が位置決めされている。
【００４４】
また、表示パネル５は、図８に示すように、側面に設けた連結軸である連結ピン５ｆによって下部両側がスライダ４の各アーム４ｃに形成した連結孔４ｅとピン連結されている。これにより、表示パネル５は、スライダ４に対して連結ピン５ｆの軸方向に沿って移動することができる。そして、少なくとも一方のアーム４ｃは、連結孔４ｅに挿通する連結ピン５ｆの先端とアーム４ｃとの間に押しばね８が配置されている。このようにすると、ディスプレイ装置１０は、表示パネル５を本体２から出し入れするときに、スライダ４に対して連結ピン５ｆの軸方向に沿って移動して生ずる表示パネル５のガタつきを抑えることができる。
【００４５】
更に、表示パネル５は、図８〜図１０に示すように、下面に係合溝５ｇが形成され、クラスタ１２には、係合溝５ｇと対応する位置に、係合溝５ｇと緩やかに係合する位置決めリブ１２ｃが設けられている。また、本体２に設けられたスライダ４は、図１０に示すように、上下に配置されるガイドレール２ｂとの間に隙間が設けられると共に、板ばね４ｄとによって上方へ付勢されている。これにより、表示パネル５は、クラスタ１２に対して上下方向における位置が位置決めされている。
【００４６】
ディスプレイ装置１０は、以上のように構成することでクラスタ１２に対して上下方向並びに横方向の位置が精度良く位置決めされる。このため、ディスプレイ装置１０は、クラスタ１２を介してインストルメントパネル１４に取り付けたときに、クラスタ１２との間の矢印Ｂ（図８参照）で示す隙間を最小にして組み付けることができ、外観上の見映えが向上する。
【００４７】
ここで、表示パネル５は、下面に位置決めリブを形成し、クラスタ１２の対応する位置に前記リブと係合するガイド溝を設けてもよい。また、表示パネル５は、側面にガイド溝或いは位置決めリブを設け、クラスタ１２内側面の対応する位置に位置決めリブ或いはガイド溝を設けてもよい。このようにすると、ディスプレイ装置１０は、クラスタ１２に対する上下方向と横方向の位置を位置決めすることができるうえ、下部にガイド溝等を設けた場合に比べて、表示パネル５を本体２から引き出したときの見映えが一層よくなる。
【実施例３】
【００４８】
次に、この発明のディスプレイ装置に係る実施例３について説明する。実施例１のディスプレイ装置１は、スライダ４が本体２の底板２ａ両側に設けたガイドレール２ｂに支持され、本体２に対して横方向へ移動しないようにしていた。これに対し、実施例３のディスプレイ装置は、スライダ４が本体２に対して横方向へ移動可能に構成されている。
【００４９】
即ち、実施例３のディスプレイ装置においては、図１１に示すように、スライダ４は、底板２ａに設けた２つのガイドローラ２ｃを配置するローラ孔４ｂの幅Ｗが、ガイドローラ２ｃの直径よりも幅広に設定されている。このため、このように構成されるスライダ４を用いると、ディスプレイ装置は、スライダ４、即ち、表示パネル５がローラ孔４ｂとガイドローラ２ｃの直径との差だけ横方向へ僅かに移動することができる。従って、実施例３のディスプレイ装置は、本体２と表示パネル５との位置を微調整することにより、クラスタ１２に対する位置を位置決めすることができ、クラスタ１２との間の隙間を最小にしてインストルメントパネル等の車両の取付部材に組み付けることができ、外観上の見映えが向上する。
【００５０】
このとき、スライダ４が横方向へ僅かに移動できるようにしたことによって、スライダ４のガタつきが心配される。このため、スライダ４は、図１１に示すように、両側に板ばね９を配置し、本体２の両側から押えるようにする。
【実施例４】
【００５１】
次に、この発明のディスプレイ装置に係る実施例４について説明する。実施例３のディスプレイ装置は、ローラ孔４ｂをガイドローラ２ｃの直径よりも幅広に設定することで、表示パネル５が横方向へ僅かに移動することができるようにした。これに対し、実施例４のディスプレイ装置は、表示パネル５を本体２に対して上下方向へ移動できるようにした。
【００５２】
即ち、実施例４のディスプレイ装置においては、図１２に示すように、スライダ４において、アーム４ｃの連結孔４ｅを上下方向に延びる長孔に成形しておく。このようにすると、ディスプレイ装置は、表示パネル５が傾倒あるは起立されるとき、ベアリング５ｂと連結孔４ｅとの間隔に余裕ができ、表示パネル５を上下させることで円滑に動作させることができる。このため、実施例４のディスプレイ装置は、連結ピン５ｆが連結孔４ｅ内を上下することで表示パネル５の位置がクラスタ１２に対して位置決めされ、表示パネル５とクラスタ１２との間の隙間を最小にしてインストルメントパネル等の車両の取付部材に組み付けることができ、外観上の見映えが向上する。
【実施例５】
【００５３】
次に、この発明のディスプレイ装置に係る実施例５について説明する。実施例４のディスプレイ装置は、アーム４ｃの連結孔４ｅを上下方向に延びる長孔に成形することで、表示パネル５が上下方向へ移動させてクラスタ１２に対して位置決めすることができるようにした。これに対し、実施例５のディスプレイ装置は、位置決めローラを利用して表示パネル５をクラスタ１２に対して位置決めするようにした。
【００５４】
即ち、実施例５のディスプレイ装置は、図１３に示すように、表示パネル５とクラスタ１２とに凹部５ｈ，１２ｄを形成し、クラスタ１２側に支持させた位置決めローラ１６，１８を凹部５ｈ，１２ｄに配置することで、表示パネル５の横方向及び上下方向の位置をクラスタ１２に対して位置決めしている。これにより、実施例５のディスプレイ装置は、表示パネル５とクラスタ１２との間の隙間を最小にしてインストルメントパネル等の車両の取付部材に組み付けることができ、外観上の見映えが向上する。
【００５５】
このとき、表示パネル５の横方向の位置を位置決めする位置決めローラ１６を、図１４に示すように、図１３に示す場合に対して９０度ずらしてクラスタ１２側に支持させると、横方向中央に１個設ければよく、横方向に２個設ける場合に比べて経済的である。
【００５６】
また、位置決めローラ１６，１８は、ディスプレイ装置における表示パネル５の出し入れの際のガタつきを抑えるため、弾性を有するゴムや合成樹脂から成形する。更に、位置決めローラは、例えば、図１５に示す位置決めローラ２０のように、ローラ２０ａを支持するアーム２０ｂを押しばね２１によって表示パネル５に押圧させることで、表示パネル５の出し入れの際のガタつきを抑えるようにしてもよい。この場合、位置決めローラ２０は、特に、表示パネル５の横方向の位置を決めるものやローラ２０ａが硬質の場合に用いると効果的である。
【実施例６】
【００５７】
次に、この発明のディスプレイ装置に係る実施例６について説明する。ここで、以下に説明する実施例６のディスプレイ装置において、前述した各実施例のディスプレイ装置と同一の構成部材には同一の符号を付している。図１６は、この発明の実施例６であるディスプレイ装置の主要部を示す縦断面図である。ここで、本実施例６のディスプレイ装置では、表示パネル５の引き出し時に、この表示パネル５の平行移動を可能とするとともに、公差によるばらつきを防止すべく、水平方向のガイド溝（横溝Ｔh）を幅広に選定するとともに、表示パネル５の収納時に、この表示パネル５の傾倒角度を（約０．５度）選定することにより、収納時の段差を解消したことに特徴がある。
【００５８】
すなわち、前述した図４に示すように、横溝Ｔhに位置するベアリング５ｂの中心点とスライダ４の回転中心との距離が常時、同寸法（距離Ｌ1＝距離Ｌ2）であれば、表示パネル５の移動はスムーズな平行移動を維持することができるが、それぞれの距離には公差が存在するため、例えば、Ｌ1＜Ｌ2の場合には、移動時に表示パネル５の上部が前側に傾倒することから、この表示パネル５が完全に閉じない不具合が発生する恐れがある。
【００５９】
一方、Ｌ1＞Ｌ2の場合には、表示パネル５の下部が前側に傾倒するため、この表示パネル５の下側が完全に閉じなくなるという不具合が生じる恐れがある。そこで、このような公差のばらつきに伴う不具合を解決すべく、本実施例６では水平方向に位置する横溝Ｔhの幅寸法を広く（大きく）する対策をおこなうこととしている。さらに、このように横溝Ｔhの幅寸法を大きくした場合には、表示パネル５が傾倒しながら移動することから、元々の課題である表示パネル５の上端部がクラスタ１２の端縁と干渉するという問題が生じる恐れがある。このため、本実施例６では、さらに表示パネル５が直立を保持したまま移動ができるように、表示パネル５を横溝Ｔh内で押圧移動する押圧レバー４０を備える構成としている。
【００６０】
以下、実施例６に係るディスプレイ装置の詳細を説明する。図１６に示すように、ディスプレイ装置は、本体２と表示パネル５とを備え、この表示パネル５は、予めダッシュボードやインストルメントパネル等の車両の取付部材に取り付けられたクラスタ１２と呼ばれる取付開口１２ａを有する枠体状の部品を介してインストルメントパネル１４に組み付けられる。クラスタ１２の取付開口１２ａの周囲には、図中の上側に位置する段部３２と、下側に位置する段部３３とが形成されており、これら段部３２、３３に表示パネル５の端部２５、２６とが当接された状態で収納される。
【００６１】
また、スライダ４は水平方向に引き出し自在に設けられており、このスライダ４の先端部には、傾倒レバー５０が連結されている。すなわち、スライダ４の先端部には、回動軸５３が設けられ、この回動軸５３と傾倒レバー５０の基端部とが連結され、この傾倒レバー５０の先端部には図中Ｓ方向に張力を付与する押しばね５１が取り付けられている。５２は傾倒レバー５０を所定の位置に支持する支持部材である。この傾倒レバー５０の下端縁とスライダ４の先端縁との当接（図１７のａ部）により、表示パネル５が前方（図１６の左側）へ傾倒することが規制されている。
【００６２】
また、この傾倒レバー５０の下端縁とスライダ４の先端縁との当接位置によって、表示パネル５が平行移動する際の、傾倒角度を調整することができる。このため、後述するように、本実施例６では、表示パネル５の下方を所定の角度（０．５度）だけ傾倒する構成とすることにより、表示パネル５の収納時に生じる段差を最小とするようにしている。
【００６３】
また、本体２には、押しばね４１の弾力により表示パネル５の上端部に固設されたベアリング５ｂを前方（図１６の左側）に向けて押圧する押圧レバー４０を備えている。この押圧レバー４０により、回動軸４２を回動中心として、押しばね４１の弾力によりベアリング５ｂをガイド溝３ａ内で移動させることができる。
【００６４】
また、ガイド溝３ａは、この本体２の上下方向に形成された縦溝Ｔvよりも幅広に形成された水平方向に位置する横溝Ｔhと、これら横溝Ｔhと縦溝Ｔvを連結する湾曲溝Ｔcとから構成されている。これによって、スライダ４の前方（図１６の左側）への移動にともなって、ベアリング部材５ｂは押圧レバー４０の弾力により、横溝Ｔhを介して移動することとなる。そして、この幅広に形成された横溝Ｔhによって、公差によるばらつきを解消することができる。また、この時表示パネル５の直立状態を保持したまま、平行移動させることができ、これによって、ばらつきである公差を吸収する幅寸法を選定する。
【００６５】
ここで、押しばね５１の弾力（トルク）は、表示パネル５を回動させるトルクである押しばね４１の弾力（トルク）よりも大きくする必要があるとともに、スライダ４が表示パネル５を引き込む力よりも小さくする必要がある。このため、本実施例６では、押しばね４１のトルクをＰ1（回動軸５３とベアリング５ｂとの距離をｌ1）とし、押しばね５１のトルクをＰ2（回動軸５３とスライダ４の下端部との距離をｌ2）とし、スライダ４のトルクをＰ3（回動軸５３と表示パネル５の端部２５との距離をｌ3）とした場合に、Ｐ1×ｌ1＞Ｐ2×ｌ2＞Ｐ3×ｌ3の関係式が成り立つことを条件としている。
【００６６】
図１７は、表示パネル５の突出状態の推移動作を示す説明図である。すなわち、表示パネル５の収納状態から、スライダ４が前方（図１７の左側）に向けて移動を開始すると、表示パネル５の下側の端部２６が、上側の端部２５よりも先に離隔を開始する。これは、前述したように、表示パネル５の傾斜角度が０．５度に設定されており、また、押しばね５１により表示パネル５の傾倒角度が保持されているためである。
【００６７】
次いで、さらなるスライダ４の移動により、このスライダ４の移動にともない押圧ばね４１の弾力により押圧レバー４０が回動軸４２を中心として、図中のＳ方向に回動するため、この押圧レバー４０の回動によりベアリング５ｂが押圧されるとともに、横溝Ｔh内を移動する。これにより、表示パネル５は、前方（図１７の左側）に向けて平行移動を開始する。この時は、傾倒レバー５０の端縁とスライダ４の先端縁とは、当接（図中、ａ点）されているため、この端縁同士の当接により表示パネル５の前方（図１７の左側）への傾倒を防止する規制力が作用する。
【００６８】
そして、さらなるスライダ４の移動により、表示パネル５のベアリング５ｂは横溝Ｔhから湾曲溝Ｔcに向けて、押圧レバー４０の押圧力により移動するとともに、ベアリング５ｂが湾曲溝Ｔcに到達した際には、表示パネル５の上方が内方に向けて、回動軸５３を中心として、傾倒レバー５０ともに、時計方向に偏奇する。このとき、押しばね５１は、表示パネル５が回動するのを支援する方向に作用する。以下、表示パネル５は所定の角度に傾倒するとともに、縦溝Ｔvにより位置が規制された状態で、クラスタ１２の外部に引き出すことができる。
【００６９】
図１８は、表示パネル５の収納状態の推移動作を示す説明図である。すなわち、図１７に示すように表示パネル５が突出した状態からスライダ４が後方（図１８の右側）に向けて移動を開始すると、このスライダ４の移動にともない押圧ばね５１の弾力により、表示パネル５の上方はスライダ４の回動軸５３を中心として、反時計方向に回動する傾倒レバー５０とともに、直立に向けて回動を開始する。次いで、さらなるスライダ４の移動にともない表示パネル５のベアリング５ｂは、湾曲溝Ｔcから横溝Ｔhに向けて押圧レバー４０による押圧力に抗して移動を開始する。ここで、前述したように傾倒レバー５０の端縁とスライダ４の先端縁との当接位置により傾斜角度（０．５度）が設定されているため、表示パネル５の下方が僅かに傾いた状態で平行移動がおこなわれる。具体的には、表示パネル５は、０．５度、傾倒しながら、この表示パネル５の上側の端部２５がクラスタ１２の段部３２に当接する。最後に、表示パネル５の下側の端部２６がクラスタ１２の下側の段部３３と当接することにより、表示パネル５の収納が終了する。
【００７０】
以上のように、移動時の表示パネル５の傾倒角度を設定することにより、上側の端部２５が下側の端部２６より先に、所定の距離分（ｔ＝１．５ｍｍ）段部３２に当接させることができるため、表示パネル５の上部と下部との段差を最小とすることが可能となる。
【００７１】
以上のように、ディスプレイ装置を構成することでクラスタ１２に対して上下方向並びに横方向の位置が精度良く位置決めされるうえ、公差（寸法）のばらつきを防止することにより、表示パネル５の平行移動により収納を良好とすることができる。また、この表示パネル５の収納時に発生する段差を最小とすることにより、隙間を最小にして組み付けることができ、外観上の見映えをより向上させることができる。
【図面の簡単な説明】
【００７２】
【図１】この発明の実施例１であるディスプレイ装置の斜視図である。
【図２】図１のディスプレイ装置から表示パネルを外した斜視図である。
【図３】図１のディスプレイ装置において表示パネルを傾倒させた状態の斜視図である。
【図４】ガイド溝とスライダとによる表示パネルの傾倒の過程を示す図である。
【図５】従来のディスプレイ装置におけるガイド溝とスライダとによる表示パネルの傾倒の過程を示す図である。
【図６】図１のディスプレイ装置において前面パネルと表示パネルとの上下方向の位置を位置決めする手段を示す拡大断面図である。
【図７】図１のディスプレイ装置における他の変形例を示す図である。
【図８】この発明の実施例２であるディスプレイ装置の主要部を示す断面平面図である。
【図９】図８のディスプレイ装置の正面図である。
【図１０】図８のディスプレイ装置の縦断面図である。
【図１１】この発明のディスプレイ装置に係る実施例３について説明するもので、ディスプレイ装置で使用するスライダの概略平面図である。
【図１２】この発明のディスプレイ装置に係る実施例４について説明するもので、アームと表示パネルとの連結部を拡大して示す概略図である。
【図１３】この発明のディスプレイ装置に係る実施例５について説明するもので、位置決めローラを利用して表示パネルをクラスタに対して位置決めする様子を示す概略図である。
【図１４】図１３の位置決めローラの変形例を示す概略図である。
【図１５】図１３の位置決めローラの他の変形例を示す概略図である。
【図１６】この発明のディスプレイ装置に係る実施例６について説明する要部の縦断面図である。
【図１７】表示パネルの引き出し状態を示す説明図である。
【図１８】表示パネルの収納状態を示す説明図である。
【符号の説明】
【００７３】
１  ディスプレイ装置
２  本体
２ａ  底板
２ｂ  ガイドレール
２ｃ  ガイドローラ
３  前面パネル
３ａ  ガイド溝
３ｂ  段部
３ｃ  スリット
４  スライダ
４ａ  ラック
４ｂ  ローラ孔
４ｃ  アーム
４ｄ  板ばね
４ｅ  連結孔
４ｆ  ブラケット
５  表示パネル
５ａ  画面
５ｂ  ベアリング
５ｃ  傾斜面
５ｄ  リブ
５ｅ  ガイド溝
５ｆ  連結ピン
５ｇ  係合溝
５ｈ  凹部
６  モータ
７、８、２１、４１、５１  押しばね
９  板ばね
１０  ディスプレイ装置
１２  クラスタ
１２ａ  取付開口
１２ｂ、１２ｃ  位置決めリブ
１２ｄ  凹部
１４  インストルメントパネル
１６、１８  位置決めローラ
２０  位置決めローラ
２０ａ  ローラ
２０ｂ  アーム
２５、２６  端部
３２、３３  段部
４０  押圧レバー
５０  傾倒レバー
４２、５３  回動軸
５２  支持部材
Ｃ  湾曲溝の湾曲中心
Ｇ  ギアトレーン
Ｌ  湾曲溝の湾曲中心を通る線
Ｔv   縦溝
Ｔh   横溝
Ｔc   湾曲溝